(57)【特許請求の範囲】
【請求項１】
洗浄水を洗浄水タンクの内部に給水する給水管と、
フロート部及び、前記フロート部の上部に接続されると共に貫通穴が形成されたフロート側アーム部を有し、前記洗浄水タンクの内部に貯留される洗浄水の水位に連動して上下方向に移動するフロート部材と、
上下方向に交差する方向に延びて形成され、前記貫通穴に挿入されることで前記フロート側アーム部に係合可能に構成され、前記フロート部材の上下方向の移動に連動して移動するアーム部材と、
前記アーム部材に接続され、前記アーム部材が前記フロート部材の上下方向の移動に連動して移動することで、前記洗浄水タンクへ給水を行う開状態又は前記洗浄水タンクへの給水を停止する閉状態に前記給水管を開閉可能な給水弁と、を備え、
前記アーム部材が前記貫通穴に挿入された状態において、前記フロート側アーム部及び前記アーム部材は、前記貫通穴を前記フロート側アーム部の上下方向に直交する方向から視た場合における前記アーム部材の幅方向への移動を規制する移動規制部を有し、
前記移動規制部は、前記アーム部材が前記貫通穴に挿入された状態において、前記フロート側アーム部における前記貫通穴の上方側の部分を構成する上方側構成縁部と、前記アーム部材の前記上方側構成縁部に対向する上方側アーム縁部と、により構成され、
前記上方側構成縁部の形状は、前記フロート側アーム部の幅方向の中央側から両端部側にそれぞれに下るように傾斜し、
前記上方側アーム縁部の断面形状は、前記アーム部材の幅方向の中央側から両端部側にそれぞれに下るように傾斜する洗浄水タンクの給水装置。
【請求項２】
洗浄水を洗浄水タンクの内部に給水する給水管と、
フロート部及び、前記フロート部の上部に接続されると共に貫通穴が形成されたフロート側アーム部を有し、前記洗浄水タンクの内部に貯留される洗浄水の水位に連動して上下方向に移動するフロート部材と、
上下方向に交差する方向に延びて形成され、前記貫通穴に挿入されることで前記フロート側アーム部に係合可能に構成され、前記フロート部材の上下方向の移動に連動して移動するアーム部材と、
前記アーム部材に接続され、前記アーム部材が前記フロート部材の上下方向の移動に連動して移動することで、前記洗浄水タンクへ給水を行う開状態又は前記洗浄水タンクへの給水を停止する閉状態に前記給水管を開閉可能な給水弁と、を備え、
前記アーム部材が前記貫通穴に挿入された状態において、前記アーム部材における前記フロート側アーム部に当接する部分は、前記フロート側アーム部の一部に沿うように湾曲している洗浄水タンクの給水装置。
【請求項３】
前記アーム部材が延びる方向に直交する方向であって上下方向に直交する方向から視た場合に、前記アーム部材の前記貫通穴に挿入された部分は、前記給水弁が前記閉状態となるとき、水平である請求項１又は２に記載の洗浄水タンクの給水装置。
【請求項４】
前記フロート側アーム部は、上下方向に延びており、
前記貫通穴は、前記フロート側アーム部の上下方向に並んで複数配置される請求項１から３のいずれかに記載の洗浄水タンクの給水装置。
【発明の詳細な説明】
【技術分野】
【０００１】
本発明は、洗浄水タンクの給水装置に関する。
【背景技術】
【０００２】
従来、洗浄水タンクの給水装置として、洗浄水を洗浄水タンクの内部に給水する給水管と、洗浄水タンクの内部に貯留される洗浄水の水位に連動して上下方向に移動するフロート部材と、フロート部材の上下方向の移動に連動して移動する操作アーム部材と、操作アーム部材の移動に連動して給水管を開閉可能な給水弁と、を備えるものが知られている（例えば、特許文献１参照）。このように構成される洗浄水タンクの給水装置は、フロート部材の上下方向の移動より、給水管から洗浄水タンクへの給水を制御する。
【０００３】
特許文献１に記載の洗浄水タンクの給水装置においては、フロート部材に設けられる上方側に延びるフロート側縦アーム部に、操作アーム部材を係合可能に取り付けるように構成される。フロート部材のフロート側縦アーム部の上方側には、溝部が形成されている。操作アーム部材の先端側には、水平方向に長い開口を有するＣ字形状のフック部が形成されている。そして、操作アーム部材のフック部を、フロート側縦アーム部の溝部に引っ掛ける。これにより、フロート部材に操作アーム部材を係合させて、フロート部材の上下方向の移動に連動して操作アーム部材を揺動させて、給水弁を作動させるように構成されている。
【先行技術文献】
【特許文献】
【０００４】
【特許文献１】特許第５５８５９２７号公報
【発明の概要】
【発明が解決しようとする課題】
【０００５】
特許文献１に記載の構成においては、フロート部材のフロート側縦アーム部に溝部を形成し、アーム部材には、水平方向に長い開口を有するＣ字形状のフック部を形成する。そのため、フロート部材とアーム部材との取付構造が複雑になりやすかった。
また、洗浄水タンクの給水装置において、給水管からの給水を遅延させるために、フロート部材が安定して上下方向に移動されることも望まれる。
【０００６】
本発明は、フロート部材及びアーム部材を簡易な構成にすることができると共に、フロート部材を安定して上下方向に移動できる洗浄水タンクの給水装置を提供することを目的とする。
【課題を解決するための手段】
【０００７】
本発明は、洗浄水を洗浄水タンクの内部に給水する給水管と、フロート部及び、前記フロート部の上部に接続されると共に貫通穴が形成されたフロート側アーム部を有し、前記洗浄水タンクの内部に貯留される洗浄水の水位に連動して上下方向に移動するフロート部材と、上下方向に交差する方向に延びて形成され、前記貫通穴に挿入されることで前記フロート側アーム部に係合可能に構成され、前記フロート部材の上下方向の移動に連動して移動するアーム部材と、前記アーム部材に接続され、前記アーム部材が前記フロート部材の上下方向の移動に連動して移動することで、前記洗浄水タンクへ給水を行う開状態又は前記洗浄水タンクへの給水を停止する閉状態に前記給水管を開閉可能な給水弁と、を備える洗浄水タンクの給水装置に関する。
【０００８】
また、前記アーム部材が前記貫通穴に挿入された状態において、前記フロート側アーム部及び前記アーム部材は、前記貫通穴を前記フロート側アーム部の上下方向に直交する方向から視た場合における前記アーム部材の幅方向への移動を規制する移動規制部を有することが好ましい。
【０００９】
また、前記移動規制部は、前記アーム部材が前記貫通穴に挿入された状態において、前記フロート側アーム部における前記貫通穴の上方側の部分を構成する上方側構成縁部と、前記アーム部材の前記上方側構成縁部に対向する上方側アーム縁部と、により構成され、前記上方側構成縁部の形状は、前記フロート側アーム部の幅方向の中央側から両端部側にそれぞれに下るように傾斜し、前記上方側アーム縁部の断面形状は、前記アーム部材の幅方向の中央側から両端部側にそれぞれに下るように傾斜することが好ましい。
【００１０】
また、前記アーム部材の前記貫通穴を通り抜けた部分には、前記アーム部材が前記貫通穴から抜けることを防止する抜け防止部分が設けられることが好ましい。
【００１１】
また、前記アーム部材が延びる方向に直交する方向であって上下方向に直交する方向から視た場合に、前記アーム部材の前記貫通穴に挿入された部分は、前記給水弁が前記閉状態となるとき、水平であることが好ましい。
【００１２】
また、前記アーム部材が前記貫通穴に挿入された状態において、前記アーム部材における前記フロート側アーム部に当接する部分は、前記フロート側アーム部の一部に沿うように湾曲していることが好ましい。
【００１３】
また、前記フロート側アーム部は、上下方向に延びており、前記貫通穴は、前記フロート側アーム部の上下方向に並んで複数配置されることが好ましい。
【発明の効果】
【００１４】
本発明によれば、フロート部材及びアーム部材を簡易な構成にすることができると共に、フロート部材を安定して上下方向に移動できる洗浄水タンクの給水装置を提供することができる。
【図面の簡単な説明】
【００１５】
【図１】本発明の一実施形態に係る便器装置１００の側面図である。
【図２】本発明の一実施形態に係る便器装置１００の正面図である。
【図３】本発明の一実施形態に係る洗浄水タンク２０の構成を示す断面図である。
【図４】本発明の一実施形態に係る洗浄水タンク２０の給水装置３０を示す部分断面斜視図である。
【図５】本発明の一実施形態に係る洗浄水タンク２０の給水装置３０を示す斜視図である。
【図６】本発明の一実施形態に係るフロート部材６２及び操作アーム部材６３を示す斜視図である。
【図７】図６において、フロート部材６２から操作アーム部材６３を取り外した状態を示す斜視図である。
【図８】本発明の一実施形態に係る操作アーム部材６３の先端側がフロート部材６２の貫通穴８３に挿入された部分の断面を示す断面図である。
【図９】本発明の一実施形態に係る給水弁６１が閉状態の場合の操作アーム部材６３の位置を示す断面図である。
【図１０】本発明の一実施形態に係る給水弁６１が開状態の場合の操作アーム部材６３の位置を示す断面図である。
【発明を実施するための形態】
【００１６】
以下、本発明の洗浄水タンク２０の給水装置３０の好ましい一実施形態について、図面を参照しながら説明する。図１は、本発明の一実施形態に係る便器装置１００の側面図である。図２は、本発明の一実施形態に係る便器装置１００の正面図である。図３は、本発明の一実施形態に係る洗浄水タンク２０の構成を示す断面図である。図４は、本発明の一実施形態に係る洗浄水タンク２０の給水装置３０を示す部分断面斜視図である。図５は、本発明の一実施形態に係る洗浄水タンク２０の給水装置３０を示す斜視図である。図６は、本発明の一実施形態に係るフロート部材６２及び操作アーム部材６３を示す斜視図である。図７は、図６において、フロート部材６２から操作アーム部材６３を取り外した状態を示す斜視図である。図８は、本発明の一実施形態に係る操作アーム部材６３の先端側がフロート部材６２の貫通穴８３に挿入された部分の断面を示す断面図である。図９は、本発明の一実施形態に係る給水弁６１が閉状態の場合の操作アーム部材６３の位置を示す断面図である。図１０は、本発明の一実施形態に係る給水弁６１が開状態の場合の操作アーム部材６３の位置を示す断面図である。
【００１７】
なお、図４においては、断面図で示されている部分と、断面図で示されていない部分とが混在している。例えば、図４において、操作アーム部材（アーム部材）６３、給水管３１、第１吐出部３４、第２吐出部３５及び浮き閉止部材６６などは、断面図で示されていない。一方、図４において、洗浄水タンク２０、フロート部材６２及び節水タンク６４などは、断面図で図示されている。特に、フロート部材６２は、図４では断面図で図示されており、切断された一部分が図示されていない。フロート部材６２は、図７では全体が斜視図で図示されている。
【００１８】
図１に示すように、本発明に係る洗浄水タンク２０の給水装置３０は、例えば、便器装置１００に備えられる。
本実施形態の便器装置１００は、図１及び図２に示すように、便器１０と、洗浄水タンク２０と、洗浄水タンク２０に備えられる給水装置３０と、洗浄水タンク２０の前側に配置される背もたれ部４０と、洗浄水タンク２０の下方に配置される排水管（不図示）等の側方を覆うサイドカバー５０と、を備える。
【００１９】
便器１０は、便器本体１１と、便器本体１１の上部に便器本体１１に対して開閉可能に取り付けられる便座１２と、を有する。便器本体１１は、上面に開口（不図示）を有する。便座１２は、平面視において中央に開口（不図示）を有する。
【００２０】
サイドカバー５０は、便器装置１００の下部において、便器１０の後方に配置される。サイドカバー５０の内側には、排水管（不図示）が配置される。サイドカバー５０の内側に配置された排水管（不図示）は、便器１０から排出された洗浄水を外部へ排出する。
【００２１】
洗浄水タンク２０は、図１及び図２に示すように、便器１０の後方かつ上方に配置される。洗浄水タンク２０の両側の側面には、肘掛け用の一対の肘掛部２０１，２０１が設けられる。一対の肘掛部２０１，２０１は、洗浄水タンク２０の両側の側面から、洗浄水タンク２０の前方側に延びるように形成される。洗浄水タンク２０の一方側の側面には、図２に示すように、操作ボタン２０２が設けられる。操作ボタン２０２は、洗浄水タンク２０に貯留された洗浄水を洗浄水タンク２０から放出するためのボタンである。
【００２２】
洗浄水タンク２０は、図１及び図３に示すように、洗浄水タンク本体２１と、洗浄水タンク蓋部２２と、を備える。
洗浄水タンク本体２１は、図３及び図４に示すように、上面が開口して形成され、底部２１１と、底部２１１から起立して周囲を囲むように形成される周壁２１２と、を備える。
【００２３】
底部２１１には、図３に示すように、洗浄水タンク２０に貯留された洗浄水を便器１０（図１及び図２参照）に放出する放出口２１１ａが形成される。放出口２１１ａは、洗浄水供給管２４に連通する開口である。洗浄水供給管２４には、便器１０に供給される洗浄水が流通する。洗浄水供給管２４は、洗浄水タンク２０に貯留された洗浄水を、便器１０に供給する。
【００２４】
放出口２１１ａには、図３に示すように、排水弁２１１ｂが配置される。排水弁２１１ｂは、玉鎖２１３を介して操作ボタン２０２（図２参照）に接続されており、操作ボタン２０２の操作により開閉される。
【００２５】
例えば、操作ボタン２０２（図２参照）を操作することで、図３に示すように、電動式のアクチュエータ２１４を動作させて、アクチュエータ２１４の回転軸２１４ａを回転させる。これにより、玉鎖２１３は、略鉛直方向に作用する吊上げ力で、排水弁２１１ｂを引き上げる。
【００２６】
なお、電動式のアクチュエータを用いずに、操作ボタン２０２に代えて、手動の操作ハンドルを設けて構成してもよい。操作ハンドルを回転させることで、玉鎖２１３を巻き上げて、排水弁２１１ｂを吊り上げることができる。
【００２７】
洗浄水タンク本体２１の内部には、図３に示すように、鉛直方向に延びるオーバーフロー管２３が設けられている。オーバーフロー管２３の上端には、洗浄水タンク２０に貯留される洗浄水の水位の上限に合わせた高さで開口する開口部２３１が形成される。オーバーフロー管２３の下端側は、放出口２１１ａに連通している。
【００２８】
洗浄水タンク蓋部２２は、洗浄水タンク本体２１の上面に配置され、洗浄水タンク本体２１の上面を覆う。
【００２９】
給水装置３０は、図３及び図４に示すように、洗浄水タンク２０に備えられる。給水装置３０は、給水管３１と、水抜操作部３２と、第１吐出部３４と、第２吐出部３５と、開弁遅延機構部６０と、を備える。
【００３０】
給水管３１は、外部の給水源（図示せず）から、洗浄水を洗浄水タンク２０の内部に給水する。給水管３１は、洗浄水タンク本体２１の上方において、洗浄水タンク本体２１の周壁２１２を貫通して、洗浄水タンク２０の外部と内部とを連通する。
【００３１】
第１吐出部３４及び第２吐出部３５は、図３及び図４に示すように、給水管３１から分岐し、洗浄水タンク２０の内部に水を吐出する。具体的には、第１吐出部３４は、洗浄水タンク２０に貯留するための水を吐出する。第２吐出部３５は、洗浄水タンク２０の内部に配置されたオーバーフロー管２３に向けて水を吐出する。オーバーフロー管２３に吐出された水は、便器１０に補給水として供給される。
【００３２】
水抜操作部３２は、図４に示すように、給水管３１における給水弁６１が設けられる部分に接続される。水抜操作部３２は、開状態において少量の水を給水管３１に流通させる流動弁（図示せず）と、流動弁を開閉させる操作ケーブル３２１と、この操作ケーブル３２１を操作する操作ダイアル（図示せず）と、を備える。
【００３３】
水抜操作部３２は、水抜操作部３２の操作ダイアル（図示せず）を操作して流動弁（図示せず）を開状態にすることで、給水弁６１が閉状態の場合においても流動弁を介して少量の水を給水管３１に流通させる。これにより、例えば、寒冷地等の冬季に給水部の凍結のおそれがある地域において、少量の水を連続的に流通させられるので、給水装置３０の凍結を防げる。
【００３４】
開弁遅延機構部６０は、図３及び図４に示すように、洗浄水タンク本体２１に設けられる。開弁遅延機構部６０は、給水弁６１と、節水タンク６４と、フロート部材６２と、アーム部材としての操作アーム部材６３と、浮き閉止部材６６と、を備える。
【００３５】
節水タンク６４は、図３及び図４に示すように、円形状の底部連通孔６４１ａが形成された底部６４１を有し、一方の側部の上方側の部分が側方に向けて開放し且つ上方が開放した方形筒状に形成される。節水タンク６４の内部には、洗浄水が貯留される。節水タンク６４の内部には、後述するフロート部材６２のフロート部７０が配置される。節水タンク６４に貯留された洗浄水の水位が上下することに連動して、フロート部材６２は、上下方向に移動する。
【００３６】
節水タンク６４には、流入量調整板６５が取り付けられている。流入量調整板６５は、節水タンク６４における開放した側の側部に取り付けられる。流入量調整板６５の上方側には、側方に開口する側部開口部６５１が形成される。流入量調整板６５は、流入量調整板６５の上下方向の取り付け位置を調整することで、側部開口部６５１の上下方向の位置を調整できる。これにより、節水タンク６４に貯留される洗浄水の最高水位の位置を調整できる。
【００３７】
浮き閉止部材６６は、図４に示すように、節水タンク６４の底部連通孔６４１ａに配置される。浮き閉止部材６６は、浮力を有しており、洗浄水タンク２０に貯留される洗浄水の水位に連動して上下方向に移動する。浮き閉止部材６６は、浮き部材本体６６１と、一対の円弧状延出部６６２と、一対の板状延出部６６３と、を有する。
【００３８】
浮き部材本体６６１は、浮き閉止部材６６の下部に配置される。浮き部材本体６６１は、上面が閉鎖されかつ下方が開放された円筒状に形成される。浮き部材本体６６１は、底部連通孔６４１ａよりも大きな径を有する。
【００３９】
一対の円弧状延出部６６２及び一対の板状延出部６６３は、浮き部材本体６６１の上面から立設される。一対の円弧状延出部６６２及び一対の板状延出部６６３は、上方側から視た場合に、円弧状延出部６６２、板状延出部６６３、円弧状延出部６６２及び板状延出部６６３が、略円環状に並んで配置される。一対の円弧状延出部６６２及び一対の板状延出部６６３は、底部連通孔６４１ａに挿通される。
【００４０】
一対の板状延出部６６３の上端には、図４に示すように、一対の突出係止部６６３ａ，６６３ａが形成される。一対の突出係止部６６３ａ，６６３ａは、外方に向けて突出する。一対の突出係止部６６３ａ，６６３ａは、一対の円弧状延出部６６２及び一対の板状延出部６６３が底部連通孔６４１ａに挿通された状態において、底部連通孔６４１ａから浮き閉止部材６６が抜け落ちないように、外方に向けて突出して形成されている。これにより、一対の突出係止部６６３ａ，６６３ａは、浮き閉止部材６６が下方に移動した場合に、底部連通孔６４１ａの外周縁に当接して、底部連通孔６４１ａと浮き閉止部材６６との間に隙間が形成される。
【００４１】
以上のように構成される浮き閉止部材６６は、洗浄水タンク２０に貯留される洗浄水の水位に応じて、浮き閉止部材６６の浮力により上下方向に移動する。洗浄水タンク２０に貯留される洗浄水の水位が節水タンク６４の底部６４１の高さよりも高い場合には、浮き閉止部材６６が浮力により浮き上がって、節水タンク６４の底部連通孔６４１ａが浮き閉止部材６６により閉止される。洗浄水タンク２０に貯留される洗浄水の水位が節水タンク６４の底部６４１の高さよりも低い場合には、浮き閉止部材６６が下降して、一対の突出係止部６６３ａ，６６３ａが底部連通孔６４１ａの外周縁に当接して、底部連通孔６４１ａと浮き閉止部材６６との間に隙間が形成される。
【００４２】
フロート部材６２は、節水タンク６４に貯留された洗浄水の水位に連動して上下方向に移動する。節水タンク６４に貯留された洗浄水は、洗浄水タンク２０の内部に貯留される洗浄水の水位に連動して上下方向に移動する。そのため、フロート部材６２は、洗浄水タンク２０の内部に貯留される洗浄水の水位に連動して上下方向に移動する。フロート部材６２は、図５〜図７に示すように、フロート部７０と、フロート側アーム部８０と、を有する。
【００４３】
フロート部７０は、節水タンク６４の内部に配置される。フロート部７０は、上部が閉鎖されかつ下部が開放する方形箱状に形成される。
【００４４】
フロート側アーム部８０は、図６及び図７に示すように、フロート部７０の上部に接続される。フロート側アーム部８０は、上下方向に延びる。フロート側アーム部８０は、図７に示すように、略はしご状であり、一対の側板８１，８１と、複数の横棒部８２と、を有する。
【００４５】
一対の側板８１，８１は、板状に形成され、上下方向に延びる。一対の側板８１，８１は、所定距離離間して対向して配置されている。本実施形態においては、一対の側板８１，８１が離間する方向を、フロート側アーム部８０の幅方向Ｈという。フロート側アーム部８０の幅方向Ｈは、操作アーム部材６３の幅方向Ｈでもある。また、幅方向Ｈは、操作アーム部材６３が延びる方向に直交する方向であって上下方向に直交する方向でもある。
【００４６】
複数の横棒部８２は、図７に示すように、幅方向Ｈに延びており、一対の側板８１，８１同士を接続する。複数の横棒部８２は、上下方向に離間して並んで配置される。
【００４７】
複数の横棒部８２が幅方向Ｈに延びた状態で上下方向に離間して並んで配置されることにより、上下方向に隣り合う横棒部８２，８２の間には、貫通穴８３が形成される。貫通穴８３は、側面視において、六角形状に形成される。
【００４８】
複数の横棒部８２が上下方向に並んで配置されることにより、フロート側アーム部８０には、複数の貫通穴８３が形成される。複数の貫通穴８３は、フロート側アーム部８０の上下方向に並んで配置される。
【００４９】
横棒部８２は、図７に示すように、円錐台形状の一対の円錐台部８２１，８２１が、天面同士を突き当てて、幅方向Ｈに連結されて形成される。一対の円錐台部８２１，８２１は、フロート側アーム部８０における幅方向Ｈの中央側から外側に向かうに従って径が大きくなる円錐台形状に形成され、フロート側アーム部８０の幅方向Ｈの中央に対して対称となるように幅方向Ｈに連結される。
【００５０】
横棒部８２が一対の円錐台部８２１，８２１で構成されることで、横棒部８２における操作アーム部材６３に当接する部分の断面形状は、角のない円形となっている。これにより、操作アーム部材６３を貫通穴８３に挿入するときや、フロート部材６２が上下方向に移動するときに、操作アーム部材６３における横棒部８２に当接する部分が移動しても、操作アーム部材６３は、横棒部８２が角のない円形の断面形状の部分に当接するため、横棒部８２に当接した状態でスムーズに移動する。
【００５１】
図７及び図８に示すように、横棒部８２の下方の部分は、貫通穴８３の上方側の部分を構成する上方側構成縁部８２２を形成する。横棒部８２の上方の部分は、貫通穴８３の下方側の部分を構成する下方側構成縁部８２３を形成する。
【００５２】
本実施形態においては、貫通穴８３の上方側の部分を構成する上方側構成縁部８２２の形状は、図８に示すように、貫通穴８３をフロート側アーム部８０の側方（上下方向に直交する方向）から視た場合におけるフロート側アーム部８０の幅方向Ｈの中央から両端部側それぞれに下るように傾斜する。
また、貫通穴８３の下方側の部分を構成する下方側構成縁部８２３の形状は、図８に示すように、貫通穴８３をフロート側アーム部８０の側方（上下方向に直交する方向）から視た場合におけるフロート側アーム部８０の幅方向Ｈの中央から両端部側それぞれに上るように傾斜する。
【００５３】
操作アーム部材６３は、図４に示すように、給水弁６１とフロート部材６２とを接続する。操作アーム部材６３は、図７に示すように、フロート側アーム部８０が延びる上下方向に交差する方向に延びて形成される。操作アーム部材６３は、先端部側が、フロート側アーム部８０の貫通穴８３に挿入されることで、図６に示すように、フロート側アーム部８０に係合可能に構成される。操作アーム部材６３は、フロート部材６２の上下方向の移動に連動して移動する。
【００５４】
操作アーム部材６３は、図７に示すように、接続支持部９１と、第１腕部９２と、第２腕部９３と、水伝達防止板９４と、先端側腕部９５と、抜け防止部分９６と、を有する。
【００５５】
接続支持部９１は、図７に示すように、操作アーム部材６３の上方側の端部に設けられる。接続支持部９１は、給水弁６１（図４参照）に接続される。操作アーム部材６３は、先端側が上下方向に移動することにより、接続支持部９１を上下方向に移動させて、後述する給水弁６１を作動させる。
【００５６】
第１腕部９２は、図７に示すように、接続支持部９１に接続される。第１腕部９２は、接続支持部９１から、下方が凸となる円弧状に、斜め下方に傾斜して延びる。
【００５７】
第２腕部９３は、図７に示すように、第１腕部９２の下端部に接続され、第１腕部９２が延びる方向に沿って延在するように、第１腕部９２から、斜め下方に傾斜して延びる。第２腕部９３の上面における幅方向Ｈの略中央には、上方側に突出すると共に第２腕部９３が延びる方向に沿って延びる延在凸部９３１が形成されている。
【００５８】
水伝達防止板９４は、図７に示すように、板状に形成される。水伝達防止板９４は、第１腕部９２と第２腕部９３とが接続される部分において、外方に突出して形成される。水伝達防止板９４は、第１腕部９２を伝わる水が第２腕部９３側に伝わることを抑制する。これにより、水伝達防止板９４は、第１腕部９２を伝わる水が節水タンク６４に流入することを抑制する。
【００５９】
先端側腕部９５は、図７に示すように、第２腕部９３の第１腕部９２と反対側の端部に接続される。先端側腕部９５は、操作アーム部材６３における先端側の部分であり、貫通穴８３に挿入される部分である。
【００６０】
図８に示すように、操作アーム部材６３の先端部側が貫通穴８３に挿入された状態において、貫通穴８３の外形と操作アーム部材６３の断面の外形とは、ほぼ同じ形状である。具体的には、貫通穴８３の外形は、側面視において、六角形状である。操作アーム部材６３の断面の外形は、上下方向の中央部に幅方向Ｈの内側に凹む溝９５３を有し、貫通穴８３の外形を僅かに小さくした形状である。
【００６１】
また、図８に示すように、先端側腕部９５の上方側の上方側アーム縁部９５１（操作アーム部材６３の先端部側における上方側構成縁部８２２に対向する部分）の断面形状は、操作アーム部材６３の幅方向Ｈの中央から両端部側それぞれに下るように傾斜する。
また、先端側腕部９５の下方側の下方側アーム縁部９５２（操作アーム部材６３の先端部側における下方側構成縁部８２３に対向する部分）の断面形状は、操作アーム部材６３の幅方向Ｈの中央から両端部側それぞれに上るように傾斜する。
先端側腕部９５の断面形状において、先端側腕部９５の上下方向の中央部には、幅方向Ｈにおいて内側に凹む溝９５３が形成されている。
【００６２】
前述の貫通穴８３の上方側の部分を構成する上方側構成縁部８２２と、前述の先端側腕部９５の上方側の上方側アーム縁部９５１とにより、移動規制部が構成される。
移動規制部を構成する上方側構成縁部８２２及び上方側アーム縁部９５１は、操作アーム部材６３が貫通穴８３に挿入された状態において、互いの傾斜する部分が対向して配置されることで、操作アーム部材６３の幅方向Ｈの両端部側への移動を規制する。
【００６３】
給水弁６１が閉状態となるときの操作アーム部材６３においては、図９に示すように、操作アーム部材６３の幅方向Ｈに視た場合に、操作アーム部材６３の先端部側における貫通穴８３に挿入された先端側腕部９５は、水平である。つまり、図９に示すように、操作アーム部材６３は、給水管３１における洗浄水の供給の停止時に、貫通穴８３に挿通された操作アーム部材６３の先端部側における貫通穴８３に挿入される先端側腕部９５が水平となっており、操作アーム部材６３の先端側に、フロート側アーム部８０からの荷重が伝達しやすい。
【００６４】
一方、給水弁６１が開状態となるときの操作アーム部材６３においては、図１０に示すように、操作アーム部材６３の幅方向Ｈに視た場合に、操作アーム部材６３の先端部側における貫通穴８３に挿入された先端側腕部９５は、フロート部材６２側に下るように傾斜している。
【００６５】
抜け防止部分９６は、図６及び図７に示すように、操作アーム部材６３における先端側に形成される。抜け防止部分９６は、操作アーム部材６３の先端部側が貫通穴８３に挿入された状態において、操作アーム部材６３の先端部側における貫通穴８３を通り抜けた部分に形成される。抜け防止部分９６は、操作アーム部材６３の先端側において、上方側に向けて、湾曲又は屈曲する（曲がる）。抜け防止部分９６は、操作アーム部材６３の先端部側が貫通穴８３に挿入された状態において、貫通穴８３から操作アーム部材６３の先端部側が抜けることを防止する。
【００６６】
抜け防止部分９６は、先端側腕部９５に接続される湾曲部分９６１を有する。湾曲部分９６１は、図７に示すように、先端側腕部９５の先端部から上方側に湾曲する。抜け防止部分９６は、湾曲部分９６１から斜め上方に所定長さ延在する。
【００６７】
湾曲部分９６１は、図１０に示すように、操作アーム部材６３が貫通穴８３に挿入された状態において、操作アーム部材６３の先端部側がフロート部材６２側に下るように傾いたときに、フロート側アーム部８０の横棒部８２（一部）に沿うように上方に向けて湾曲している。
【００６８】
これにより、図１０に示すように、操作アーム部材６３の先端部側がフロート部材６２側に下るように傾いたときには、湾曲部分９６１は、横棒部８２に沿うように湾曲しているため、フロート側アーム部８０の横棒部８２に当接した場合に、フロート部材６２の荷重を垂直方向に受けることができる。また、操作アーム部材６３の先端部側が移動して、操作アーム部材６３の先端部側の傾きの角度が変位しても、湾曲部分９６１は、横棒部８２に沿うように湾曲しているため、操作アーム部材６３の先端部の傾きの角度に応じて、フロート部材６２の荷重を垂直方向に受けることができる。湾曲部分９６１を備えることにより、フロート部材６２の荷重を垂直方向に受けることができるため、操作アーム部材６３の先端部側が傾いたときに、フロート部材６２の位置ずれを防止することができる。
【００６９】
抜け防止部分９６は、湾曲部分９６１から上方側に延在する部分の先端に、操作アーム部材６３の幅方向Ｈの外側の両側に突出する突出部９６２，９６２を有する。突出部９６２，９６２が形成された部分の抜け防止部分９６の幅方向Ｈの長さは、貫通穴８３の幅方向Ｈの長さよりも長く形成される。操作アーム部材６３の先端部側を貫通穴８３に挿入する際には、突出部９６２，９６２が形成された操作アーム部材６３の先端部を貫通穴８３に圧入することで、操作アーム部材６３の先端部側は、貫通穴８３に挿入される。これにより、操作アーム部材６３の先端部側が貫通穴８３に挿入された状態において、突出部９６２，９６２は、貫通穴８３から操作アーム部材６３が抜けることを防止する。
【００７０】
給水弁６１は、図４に示すように、給水管３１に設けられる。給水弁６１は、操作アーム部材６３に接続される。給水弁６１は、操作アーム部材６３がフロート部材６２の上下方向の移動に連動して移動することで、洗浄水タンク２０へ給水を行う開状態又は洗浄水タンク２０への給水を停止する閉状態に給水管３１を開閉可能である。給水弁６１は、フロート部材６２が節水タンク６４の内部の所定位置よりも下方に位置する場合に、開状態となる。給水弁６１は、フロート部材６２が節水タンク６４の内部において所定位置よりも上方に位置する場合に、閉状態となる。なお、給水弁６１が開状態又は閉状態となるフロート部材６２の上下方向の位置は、これに限られず、実験等の結果により適宜設定される。また、給水弁６１が開状態又は閉状態となるフロート部材６２の上下方向の位置は、例えば、水圧の大きさによって変化する。
【００７１】
以上の開弁遅延機構部６０によれば、洗浄水タンク２０に貯留された洗浄水の水位に応じて、給水弁６１の開閉を操作して、給水管３１から洗浄水タンク２０へ流入する洗浄水の給水を開始又は停止させる。具体的には、フロート部材６２が節水タンク６４の内部の所定位置より下方に移動することで、操作アーム部材６３が揺動されて、給水弁６１が開状態となり、洗浄水タンク２０への給水が行われる。また、フロート部材６２が節水タンク６４の内部において所定位置より上方に移動することで、操作アーム部材６３が揺動されて、給水弁６１が閉状態となり、洗浄水タンク２０への給水が停止される。
【００７２】
次に、本実施形態に係る便器装置１００の動作について説明する。
洗浄水タンク２０に貯留された洗浄水を便器１０に放出（供給）する動作について説明する。
洗浄水タンク２０に洗浄水が貯留された状態で、操作ボタン２０２（図２参照）を操作すると、アクチュエータ２１４（図３参照）の回転軸２１４ａが回転して、玉鎖２１３は略鉛直方向に作用する吊上げ力で、排水弁２１１ｂを引き上げる。そのため、排水弁２１１ｂは、放出口２１１ａを所定時間開放する。これにより、洗浄水タンク２０に貯留された洗浄水は、放出口２１１ａを介して便器１０に放出される。そして、洗浄水タンク２０に貯留される洗浄水の水位は下降する。
【００７３】
洗浄水の水位が節水タンク６４の側部に取り付けられた流入量調整板６５の側部開口部６５１（図４参照）の下端部までは、洗浄水の水位は、節水タンク６４の内部及び外部において、同じ高さで下降する。
【００７４】
洗浄水の水位が流入量調整板６５の側部開口部６５１（図４参照）の下端部から節水タンク６４の底部６４１までの間においては、節水タンク６４の底部連通孔６４１ａは、浮き閉止部材６６が浮力により上昇することで、浮き閉止部材６６により閉止されている。そのため、節水タンク６４の内部に貯留された洗浄水は、流入量調整板６５の側部開口部６５１の下端部の高さの水位で維持される。フロート部材６２は、流入量調整板６５の側部開口部６５１の下端部の高さの水位で維持された洗浄水に浮いた状態であり、上下方向の位置が維持されている。
【００７５】
洗浄水の水位が節水タンク６４の底部６４１よりも低くなると、浮き閉止部材６６（図４参照）は、洗浄水の水位の低下と共に下降する。これにより、節水タンク６４の底部連通孔６４１ａと浮き閉止部材６６との間には、隙間が形成される。そして、この隙間から、節水タンク６４の内部の洗浄水は、節水タンク６４の外部へ流れ出る。これにより、節水タンク６４の内部の洗浄水の水位が下降して、フロート部材６２が下降する。
【００７６】
フロート部材６２が下降すると、フロート側アーム部８０の貫通穴８３に挿入された操作アーム部材６３は、先端側が下方に移動することにより、接続支持部９１を揺動させる。そして、フロート部材６２が節水タンク６４の内部の所定位置よりも下方に下降すると、給水弁６１を閉状態から開状態に作動させて、給水管３１は、洗浄水タンク２０へ洗浄水の給水を行う。
【００７７】
これにより、洗浄水タンク２０に貯留された洗浄水を放出口２１１ａを介して便器１０へ放出している間、洗浄水タンク２０には、給水管３１から新たな洗浄水が給水される。ここでは、洗浄水タンク２０に新たに給水された洗浄水についても、放出口２１１ａを介して便器１０へ放出される。
【００７８】
このように、排水弁２１１ｂを開状態とした後において、給水弁６１を開状態とするまでの時間を遅延させることで、排水弁２１１ｂを開状態とすると同時に給水弁６１を開状態とするよりも、便器１０へ放出（供給）する水を節水することができる。
【００７９】
その後、排水弁２１１ｂが閉状態となることで、放出口２１１ａが閉じられ、洗浄水タンク２０の内部に貯留された洗浄水の便器１０への放出は停止する。そして、給水管３１から洗浄水が供給されているため、洗浄水タンク２０の内部には、洗浄水が貯留されていく。
【００８０】
その後、洗浄水タンク２０に貯留された洗浄水の水位は、徐々に上昇する。洗浄水の水位が節水タンク６４の底部６４１に達すると、浮き閉止部材６６が浮力により上昇して、底部連通孔６４１ａは、浮き閉止部材６６により閉止される。これにより、節水タンク６４の内部に洗浄水が入らない状態で、洗浄水タンク２０における洗浄水の水位は上昇していく。
【００８１】
洗浄水の水位が流入量調整板６５の側部開口部６５１の下端部まで上昇すると、流入量調整板６５の側部開口部６５１を介して、節水タンク６４の内部には、洗浄水が流れ込む。そして、節水タンク６４の内部に貯留された洗浄水の水位は上昇する。これにより、節水タンク６４の内部に配置されたフロート部材６２は、節水タンク６４の底部から上昇していく。そして、フロート部材６２の上方の移動により操作アーム部材６３が連動して上方へ揺動されることにより、給水弁６１は、開状態から閉状態に作動される。これにより、給水管３１による洗浄水タンク２０への給水が停止する。
【００８２】
以上説明した本実施形態の洗浄水タンク２０の給水装置３０によれば、以下のような効果を奏する。
本実施形態の洗浄水タンク２０の給水装置３０は、給水管３１と、フロート部７０及び、フロート部７０の上部に接続されると共に貫通穴８３が形成されたフロート側アーム部８０を有し、洗浄水タンク２０の内部に貯留される洗浄水の水位に連動して上下方向に移動するフロート部材６２と、貫通穴８３に挿入されることでフロート側アーム部８０に係合可能に構成され、フロート部材６２の上下方向の移動に連動して移動する操作アーム部材６３と、操作アーム部材６３に接続され、操作アーム部材６３がフロート部材６２の上下方向の移動に連動して移動することで、洗浄水タンク２０へ給水を行う開状態又は洗浄水タンク２０への給水を停止する閉状態に給水管３１を開閉可能な給水弁６１と、を備える。
【００８３】
そのため、操作アーム部材６３が貫通穴８３に挿入されることで、操作アーム部材６３は、フロート側アーム部８０に係合可能に構成される。これにより、フロート部材６２及び操作アーム部材６３を簡易な構成にすることができると共に、フロート部材６２を安定して上下方向に移動できる。
【００８４】
また、前記実施形態においては、移動規制部は、操作アーム部材６３が貫通穴８３に挿入された状態において、フロート側アーム部８０における貫通穴８３の上方側の部分を構成する上方側構成縁部８２２と、操作アーム部材６３の上方側構成縁部８２２に対向する上方側アーム縁部９５１と、により構成され、上方側構成縁部８２２の形状は、フロート側アーム部８０の幅方向Ｈの中央側から両端部側にそれぞれに下るように傾斜し、上方側アーム縁部９５１の断面形状は、操作アーム部材６３の幅方向Ｈの中央側から両端部側にそれぞれに下るように傾斜する。
【００８５】
そのため、操作アーム部材６３の先端部側が貫通穴８３に挿入された状態において、操作アーム部材６３における上方側アーム縁部９５１と貫通穴８３の上方側の部分を構成する上方側構成縁部８２２とが係合して、操作アーム部材６３の幅方向Ｈの中央の部分は、フロート側アーム部８０の幅方向Ｈにおける中央の部分に位置する。これにより、操作アーム部材６３は、幅方向Ｈにおける中央に位置され、幅方向Ｈにおける両端部側への移動が規制される。従って、操作アーム部材６３は、幅方向Ｈの両端部側への移動が規制され、安定して、フロート側アーム部８０を上下方向に移動させることができる。
【００８６】
また、前記実施形態においては、操作アーム部材６３の貫通穴８３を通り抜けた部分には、操作アーム部材６３が貫通穴８３から抜けることを防止する抜け防止部分９６が設けられる。そのため、操作アーム部材６３が貫通穴８３に挿入された状態において、抜け防止部分９６により、操作アーム部材６３は、貫通穴８３から抜けにくい。そのため、操作アーム部材６３が貫通穴８３から抜けることが低減され、フロート部材６２を安定して上下方向に移動させることができる。
【００８７】
また、前記実施形態においては、操作アーム部材６３が延びる方向に直交する方向であって上下方向に直交する方向から視た場合に、操作アーム部材６３の貫通穴８３に挿入された部分は、給水弁６１が閉状態となるとき、水平である。そのため、給水弁６１が閉状態のときに、操作アーム部材６３に、フロート側アーム部８０からの荷重が伝達しやすい。これにより、給水弁６１をより確実に閉状態とすることができる。
【００８８】
また、前記実施形態においては、操作アーム部材６３が貫通穴８３に挿入された状態において、操作アーム部材６３におけるフロート側アーム部８０に当接する湾曲部分９６１は、フロート側アーム部８０の横棒部８２に沿うように湾曲している。これにより、操作アーム部材６３の先端部側が傾いたときに、フロート部材６２の荷重を垂直方向に受けることができる。よって、フロート部材６２の位置ずれを防止することができる。
【００８９】
また、前記実施形態においては、フロート側アーム部８０は、上下方向に延びており、貫通穴８３は、フロート側アーム部８０の上下方向に並んで複数配置される。これにより、上下方向に並んで配置される複数の貫通穴８３において、操作アーム部材６３の先端部側を挿入する貫通穴８３を選択することができる。これにより、給水管３１が開状態に作動する時間を調整することができる。
【００９０】
以上、本発明の洗浄水タンク２０の給水装置３０の好ましい一実施形態について説明したが、本発明は、上述した実施形態に制限されるものではなく、適宜変更が可能である。
例えば、前記実施形態では、複数の貫通穴８３を上下方向に配置するように構成したが、これに限られない。例えば、貫通穴８３は、一つであってもよい。この場合、例えば、一つの貫通穴だけを形成したフロート側アーム部８０を、金型で製造してもよい。また、例えば、複数の貫通穴を形成したフロート側アーム部８０を製造し、一つの貫通穴８３以外の貫通穴を、予め金型で製造した部材で塞いでもよい。
【００９１】
また、前記実施形態では、移動規制部（上方側構成縁部８２２、上方側アーム縁部９５１）において、上方側構成縁部８２２の形状は、フロート側アーム部８０を上下方向に直交する方向から視た場合におけるフロート側アーム部８０の幅方向Ｈの中央から両端部側にそれぞれに下るように直線状に傾斜し、上方側アーム縁部９５１の断面形状は、操作アーム部材６３の幅方向Ｈの中央から両端部側にそれぞれに下るように直線状に傾斜するように構成したが、これに限られない。例えば、貫通穴８３の形状を台形形状に形成して、上方側構成縁部８２２及び上方側アーム縁部９５１のそれぞれについて、幅方向Ｈの中央側から両端部側にそれぞれに下るように傾斜するように構成してもよい。また、上方側構成縁部８２２及び上方側アーム縁部９５１を、幅方向Ｈの中央側から両端部側に下るように湾曲させて傾斜するように構成してもよい。
【００９２】
また、前記実施形態では、移動規制部（上方側構成縁部８２２、上方側アーム縁部９５１）を、上方側構成縁部８２２及び上方側アーム縁部９５１について幅方向Ｈの中央側から両端部側にそれぞれに下るように傾斜させることで、幅方向Ｈの両端部側への位置ずれを防止するように構成したが、これに限られない。例えば、移動規制部を、フロート側アーム部８０と操作アーム部材６３とを嵌合させる構成とすることで、幅方向Ｈの位置ずれを防止するように構成してもよい。
【符号の説明】
【００９３】
２０  洗浄水タンク
３０  給水装置
３１  給水管
６１  給水弁
６２  フロート部材
６３  操作アーム部材（アーム部材）
７０  フロート部
８０  フロート側アーム部
８３  貫通穴
９６  抜け防止部分
８２２  上方側構成縁部
９５１  上方側アーム縁部
【図１】
0006529308.tif 000002
【図２】
0006529308.tif 000003
【図３】
0006529308.tif 000004
【図４】
0006529308.tif 000005
【図５】
0006529308.tif 000006
【図６】
0006529308.tif 000007
【図７】
0006529308.tif 000008
【図８】
0006529308.tif 000009
【図９】
0006529308.tif 000010
【図１０】
0006529308.tif 000011